(57)【要約】【課題】光源ユニット及び表示ユニットを本体ユニットに取り付ける際にケーブルを挟み込むのを防ぎ、取付け作業の作業性を向上する。【解決手段】本体ユニット１２は、筐体と、点灯装置とを有する。筐体は、開口を有する。点灯装置は、筐体の開口内部に内蔵されている。表示ユニット１４は、表示部を有する。表示部は、所定の図柄を表示する。表示ユニット１４は、筐体と係合することにより、筐体の開口を閉塞する位置に固定される。光源ユニットは、光源を有する。光源は、点灯装置が出力した電力により点灯する。光源ユニットは、筐体に表示ユニット１４が固定された状態で、筐体または表示ユニットと着脱自在に係合する。【選択図】図１０
2014107135.tif 000002
【特許請求の範囲】
【請求項１】
本体ユニットと、光源ユニットと、表示ユニットとを有し、
上記本体ユニットは、
開口を有する筐体と、
上記筐体の開口内部に内蔵され、上記光源ユニットに供給する電力を出力する点灯装置と
を有し、
上記表示ユニットは、所定の図柄を表示する表示部を有し、上記筐体と係合することにより、上記開口を閉塞する位置に固定され、
上記光源ユニットは、上記点灯装置が出力した電力により点灯して上記表示部を照らす光源を有し、上記筐体に上記表示ユニットが固定された状態で、上記筐体及び上記表示ユニットの少なくともいずれかと着脱自在に係合する
ことを特徴とする表示装置。
【請求項２】
上記筐体は、上記開口の近傍に引出開口を有し、
上記本体ユニットは、
上記引出開口から上記筐体の外に露出し、上記光源ユニットと接続して上記点灯装置が出力した電力を上記光源ユニットに供給する本体側コネクタを有する
ことを特徴とする請求項１に記載の表示装置。
【請求項３】
上記引出開口から露出した本体側コネクタを固定する引出開口カバーを有することを特徴とする請求項２に記載の表示装置。
【請求項４】
上記表示装置は、上記表示ユニットを複数有し、
第一の表示ユニットは、上記表示装置に固定され、
第二の表示ユニットは、上記第一の表示ユニットとは反対側に固定される
ことを特徴とする請求項１乃至請求項３のいずれかに記載の表示装置。
【請求項５】
上記表示装置は、誘導灯装置であり、
上記表示部は、避難誘導の図柄を表示する
ことを特徴とする請求項１乃至請求項４のいずれかに記載の表示装置。
【発明の詳細な説明】
【技術分野】
【０００１】
この発明は、所定の図柄を表示する表示装置に関する。
【背景技術】
【０００２】
避難誘導の図柄を表示する誘導灯装置などの表示装置がある。
表示装置には、点灯装置やバッテリなどを内蔵する本体ユニットと、本体ユニットから供給される電力で点灯する光源を有する光源ユニットと、光源が放射した光に照らされる表示部を有する表示ユニットとを有するものがある。
本体ユニットは、例えば、前面が開口し、光源ユニットと表示ユニットとが、本体ユニットの開口を塞いでいる。光源ユニット及び表示ユニットを取り外すことにより、本体ユニット内の配線やバッテリの交換などを行うことができる。
【先行技術文献】
【特許文献】
【０００３】
【特許文献１】特開２０００−１４９６２６号公報
【発明の概要】
【発明が解決しようとする課題】
【０００４】
上記のような表示装置において、光源ユニットを取り外すと、本体ユニットの開口の一部が塞がれない状態となる。このため、本体ユニット内部にある部品に不用意に触れる可能性がある。
この発明は、例えば、光源ユニットの付け外し時に、本体ユニット内部にある部品に不用意に触れるのを防ぎ、取付け作業の作業性を向上することを目的とする。
【課題を解決するための手段】
【０００５】
この発明にかかる表示装置は、本体ユニットと、光源ユニットと、表示ユニットとを有し、上記本体ユニットは、開口を有する筐体と、上記筐体の開口内部に内蔵され、上記光源ユニットに供給する電力を出力する点灯装置とを有し、上記表示ユニットは、所定の図柄を表示する表示部を有し、上記筐体と係合することにより、上記開口を閉塞する位置に固定され、上記光源ユニットは、上記点灯装置が出力した電力により点灯して上記表示部を照らす光源を有し、上記光源ユニットは、上記筐体に上記表示ユニットが固定された状態で、上記筐体または上記表示ユニットと着脱自在に係合することを特徴とする。
【発明の効果】
【０００６】
この発明にかかる表示装置によれば、光源ユニットの付け外し時に、本体ユニット内部にある部品に不用意に触れるのを防ぎ、取付け作業の作業性を向上することができる。
【図面の簡単な説明】
【０００７】
【図１】実施の形態１における表示装置１０の外観を示す斜視図。
【図２】実施の形態１における表示装置１０を示す正視図（六面図）。
【図３】実施の形態１における光源ユニット１３の構造を示す斜視図。
【図４】実施の形態１における表示ユニット１４の構造を示す斜視図。
【図５】実施の形態１における本体ユニット１２の構造を示す斜視図。
【図６】実施の形態１における本体ユニット１２を示す正面図。
【図７】実施の形態１における補強金具２９の構造を示す斜視図。
【図８】実施の形態１における引出開口カバー２８の構造を示す斜視図。
【図９】実施の形態１における本体ユニット１２の構造を示す拡大斜視図。
【図１０】実施の形態１における本体ユニット１２に表示ユニット１４を取り付けた状態を示す斜視図。
【図１１】実施の形態１における本体ユニット１２に表示ユニット１４を取り付けた状態を示す正面図。
【図１２】実施の形態２における表示装置１０の外観を示す斜視図。
【図１３】実施の形態２における表示装置１０を示す正視図。
【図１４】実施の形態２における本体ユニット１２の構造を示す斜視図。
【図１５】実施の形態２における本体ユニット１２の構造を示す斜視図。
【図１６】実施の形態２における本体ユニット１２に表示ユニット１４を取り付けた状態を示す斜視図。
【図１７】実施の形態３における表示装置１０の外観を示す斜視図。
【図１８】実施の形態３における表示装置１０の使用態様を示す図。
【図１９】実施の形態３における本体ユニット１２及び埋込み用金具１５の構造を示す斜視図。
【図２０】実施の形態３における操作部１７の構造を示す斜視図。
【図２１】実施の形態３における化粧枠１６の構造を示す斜視図。
【発明を実施するための形態】
【０００８】
実施の形態１．
実施の形態１について、図１〜図１１を用いて説明する。
【０００９】
図１は、この実施の形態における表示装置１０の外観を示す斜視図である。
図２は、この実施の形態における表示装置１０を示す正視図（六面図）である。
【００１０】
表示装置１０は、例えば片面型の誘導灯装置である。表示装置１０は、本体ユニット１２と、光源ユニット１３と、表示ユニット１４とを有する。
光源ユニット１３は、光源を有する。光源は、例えばＬＥＤである。
本体ユニット１２は、ほぼ直方体形状である。本体ユニット１２は、光源ユニット１３に対して電力を供給して、光源を点灯する。
表示ユニット１４は、光源ユニット１３の光源が発する光によって照らされ、所定の図柄を表示する。所定の図柄は、例えば消防法に規定されている避難誘導を表わす図柄である。
【００１１】
本体ユニット１２は、操作部２２と、貫通穴２１５と、電源穴２１６ａ，２１６ｂと、取付穴２１７ａ〜２１７ｄとを有する。
操作部２２は、例えば、点検スイッチ２２５と、自動点検スイッチ２２６と、３つのモニタ２２３ａ〜２２３ｃと、受光部２２４とを有する。点検スイッチ２２５は、バッテリ２６の状態などを点検するためのスイッチである。自動点検スイッチ２２６は、点灯装置２５により所定時間の点検を実施し、バッテリ２６の状態を自動点検をするためのスイッチである。モニタ２２３ａ〜２２３ｃは、バッテリ２６の充電状態や点検の結果などを表示する。受光部２２４は、リモコンなどからの赤外線信号（点検開始信号）を受信する。
貫通穴２１５は、本体ユニット１２の底面側に設けられている。操作部２２は、貫通穴２１５を介して、外部に露出する。
電源穴２１６ａ及び取付穴２１７ａ，２１７ｂは、本体ユニット１２の天面側に設けられている。電源穴２１６ｂ及び取付穴２１７ｃ，２１７ｄは、本体ユニット１２の背面側に設けられている。電源穴２１６ａ，２１６ｂ及び取付穴２１７ａ〜２１７ｄは、ノックアウト形状に形成されている。電源穴２１６ａ，２１６ｂは、商用電源などの外部電源からの配線を本体ユニット１２のなかに引き込むためのものである。取付穴２１７ａ〜２１７ｄは、表示装置１０を天井面や壁面に固定するための固定部材を通すためのものである。表示装置１０を天井面に取り付ける場合は、電源穴２１６ａ及び取付穴２１７ａ，２１７ｂを開口させて使用する。表示装置１０を壁面に取り付ける場合は、電源穴２１６ｂ及び取付穴２１７ｃ，２１７ｄを開口させて使用する。
【００１２】
図３は、この実施の形態における光源ユニット１３の構造を示す斜視図である。
【００１３】
光源ユニット１３（光源部）は、カバー３１と、光源（不図示）と、光源側コネクタ（不図示）とを有する。
光源側コネクタは、本体ユニット１２と着脱自在に接続して、光源を点灯する電力を入力する。
カバー３１は、光源を覆っている。カバー３１は、２つの光源側係合部３１１ａ，３１１ｂを有する。
光源側係合部３１１ａは、カバー３１の向かって左端に近い位置の上側に設けられている。光源側係合部３１１ｂは、カバー３１の向かって右端に近い位置の上側に設けられている。光源側係合部３１１ａ，３１１ｂは、本体ユニット１２と係合して、光源ユニット１３を本体ユニット１２に固定する。
【００１４】
図４は、この実施の形態における表示ユニット１４の構造を示す斜視図である。
【００１５】
表示ユニット１４は、枠４１と、表示パネル４２と、導光体４３とを有する。
表示パネル４２（表示部）は、ほぼ長方形の板状である。表示パネル４２は、透明もしくは半透明の材料で形成されている。表示パネル４２は、表面（発光面）に所定の図柄が描かれている。
導光体４３は、ほぼ長方形の板状である。導光体４３は、表示パネル４２の裏側に配置されている。導光体４３は、入射面４３１を有する。入射面４３１は、光源が放射した光を入射する。導光体４３は、入射面４３１から入射した光を導光して、表示パネル４２を裏側からほぼ均一に照らす。
枠４１は、表示パネル４２及び導光体４３の側面及び背面を覆っている。枠４１は、４つの表示側係合部４１１ａ〜４１１ｄ（このうち表示側係合部４１１ｃ，４４１ｄは不図示）を有する。表示側係合部４１１ａは、枠４１の向かって右上角に近い位置の背面側に設けられている。表示側係合部４１１ｂは、枠４１の向かって右下角に近い位置の背面側に設けられている。表示側係合部４１１ｃは、枠４１の向かって左上角に近い位置の背面側に設けられている。表示側係合部４１１ｄは、枠４１の向かって左下角に近い位置の背面側に設けられている。表示側係合部４１１ａ〜４１１ｄは、本体ユニット１２と係合して、表示ユニット１４を本体ユニット１２に固定する。
【００１６】
図５は、この実施の形態における本体ユニット１２の構造を示す斜視図である。
図６は、この実施の形態における本体ユニット１２を示す正面図である。
【００１７】
本体ユニット１２は、筐体２１と、操作部２２と、本体側コネクタ２３と、点灯装置２５と、バッテリ２６と、端子台２７と、引出開口カバー２８と、補強金具２９とを有する。
筐体２１（本体）は、ほぼ直方体の箱状であり、前面が開口している。この開口を、以下「前面開口」と呼ぶ。前面開口は、筐体２１の前面のうち、左上隅と右上隅とを除くほぼ全面にわたっている。また、筐体２１は、本体側コネクタ２３を引き出すための開口を有する。この開口を、以下「引出開口」と呼ぶ。引出開口は、筐体２１の前面のうち、右上隅の部分に設けられている。前面開口と引出開口とは、繋がっているが、引出開口カバー２８によって分離されている。筐体２１は、点灯装置２５などを内蔵する。筐体２１は、２つの本体側光源係合部２１１ａ，２１１ｂと、４つの本体側表示係合部２１２ａ〜２１２ｄとを有する。
【００１８】
本体側光源係合部２１１ａは、筐体２１の前面の向かって左上角に近い位置に設けられている。本体側光源係合部２１１ａは、光源ユニット１３の光源側係合部３１１ａと係合する。
本体側光源係合部２１１ｂは、筐体２１の前面の向かって右上角に近い位置に設けられている。本体側光源係合部２１１ｂは、光源ユニット１３の光源側係合部３１１ｂと係合する。
本体側光源係合部２１１ａ，２１１ｂは、光源ユニット１３の光源側係合部３１１ａ，３１１ｂと係合することにより、光源ユニット１３を本体ユニット１２に固定する。
【００１９】
本体側表示係合部２１２ａは、筐体２１の右側面の上寄り内側に設けられている。本体側表示係合部２１２ａは、表示ユニット１４の表示側係合部４１１ａと係合する。
本体側表示係合部２１２ｂは、筐体２１の右側面の下端内側に設けられている。本体側表示係合部２１２ｂは、表示ユニット１４の表示側係合部４１１ｂと係合する。
本体側表示係合部２１２ｃは、筐体２１の左側面の上寄り内側に設けられている。本体側表示係合部２１２ｃは、表示ユニット１４の表示側係合部４１１ｃと係合する。
本体側表示係合部２１２ｄは、筐体２１の左側面の下端内側に設けられている。本体側表示係合部２１２ｄは、表示ユニット１４の表示側係合部４１１ｄと係合する。
本体側表示係合部２１２ａ〜２１２ｄは、表示ユニット１４の表示側係合部４１１ａ〜４１１ｄと係合することにより、表示ユニット１４を本体ユニット１２に固定する。
【００２０】
補強金具２９は、筐体２１を補強する。
端子台２７は、外部電源からの配線や、点灯装置２５への配線を接続する。
バッテリ２６は、点灯装置２５を介して、外部電源から供給される電力により充電され、停電時などの電源となる。バッテリ２６は、コネクタ２６１を有する。
点灯装置２５は、外部電源やバッテリ２６から供給される電力を、光源を点灯する電力に変換して出力する。点灯装置２５は、コネクタ２５１を有する。コネクタ２５１とコネクタ２６１とは、係合して接続し、点灯装置２５とバッテリ２６とを電気的に接続する。
本体側コネクタ２３（光源接続用コネクタ）は、光源ユニット１３の光源側コネクタと着脱自在に接続される。本体側コネクタ２３は、点灯装置２５が出力した電力を、光源ユニット１３に供給する。本体側コネクタ２３は、ケーブル２３１を介して、点灯装置２５と接続されている。本体側コネクタ２３は、引出開口から筐体２１の外に引き出される。
引出開口カバー２８（開口部カバー）は、前面開口と引出開口とを分離し、本体側コネクタ２３を固定する。
操作部２２は、筐体２１に固定されている。操作部２２は、モニタ２２３ａ〜２２３ｃ（図２参照）と、点検用スイッチ（点検スイッチ２２５及び自動点検スイッチ２２６。図２参照）と、受光部２２４（図２参照）とを有する。モニタ２２３ａ〜２２３ｃ、点検用スイッチ及び受光部２２４は、筐体２１の下面に設けられた貫通穴２１５（図２参照）を介して、筐体２１の外に露出している。点検用スイッチは、点検動作を実施するためのスイッチである。点検動作では、点灯装置２５が、バッテリ２６の状態などを点検する。モニタ２２３ａ〜２２３ｃは、点検結果や、バッテリや光源などの部品が正常状態か異常状態かなどを表示する。
【００２１】
図７は、この実施の形態における補強金具２９の構造を示す斜視図である。
【００２２】
補強金具２９は、例えば、平面板を折り曲げた形状である。補強金具２９は、例えば板金を折り曲げて形成される。補強金具２９は、例えば、背面部９１と、左側面部９２と、右側面部９３と、上面部９４と、下面部９５とを有する。
背面部９１は、穴９１１〜９１３を有する。穴９１１は、筐体２１の電源穴２１６ｂに対応する位置に設けられている。穴９１２は、筐体２１の取付穴２１７ｃに対応する位置に設けられている。穴９１３は、筐体２１の取付穴２１７ｄに対応する位置に設けられている。
上面部９４は、穴９４１，９４２を有する。穴９４１は、筐体２１の電源穴２１６ａ及び取付穴２１７ａに対応する位置に設けられている。穴９４２は、筐体２１の取付穴２１７ｂに対応する位置に設けられている。
【００２３】
図８は、この実施の形態における引出開口カバー２８の構造を示す斜視図である。
この図は、異なる２つの方向から、引出開口カバー２８を見たところを示している。
【００２４】
引出開口カバー２８は、２つのカバー側係合部２８１ａ，２８１ｂと、前面部２８２と、底面部２８４とを有する。
底面部２８４は、板状である。底面部２８４は、ケーブル２３１を通すための切り欠き２８５を有する。
前面部２８２は、板状である。前面部２８２は、底面部２８４に対してほぼ垂直に設けられている。前面部２８２は、ケーブル２３１を通すための切り欠き２８３を有する。
カバー側係合部２８１ａは、前面部２８２の向かって左上の背面側に設けられている。カバー側係合部２８１ｂは、前面部２８２の向かって右上の背面側に設けられている。カバー側係合部２８１ａ，２８１ｂは、筐体２１と係合することにより、引出開口カバー２８を筐体２１に固定する。
【００２５】
図９は、この実施の形態における本体ユニット１２の構造を示す拡大斜視図である。
この図は、引出開口の付近を拡大して図５とは異なる方向から見たものである。
左側は、引出開口カバー２８を外した状態を示す。右側は、引出開口カバー２８を取り付けた状態を示す。
【００２６】
引出開口は、下側で前面開口と連続している。
筐体２１は、仕切部２１３，２１４を有する。
仕切部２１３，２１４は、筐体２１内の空間のうち、向かって右上角の部分を囲う。仕切部２１３，２１４は、板状である。仕切部２１３は、筐体２１の側面とほぼ平行である。仕切部２１４は、筐体２１の天面及び底面とほぼ平行である。仕切部２１４は、ケーブル２３１を通すための切り欠きを有する。
【００２７】
筐体２１に引出開口カバー２８を取り付けると、仕切部２１４と、引出開口カバー２８の底面部２８４とが係合して、ケーブル２３１を通す貫通穴２０１の開いた一枚の板状になり、前面開口と引出開口とを分離する。本体側コネクタ２３は、引出開口カバー２８の前面部２８２に設けられた切り欠き２８３から筐体２１の外に露出した状態で固定される。
【００２８】
図１０は、この実施の形態における本体ユニット１２に表示ユニット１４を取り付けた状態を示す斜視図である。
図１１は、この実施の形態における本体ユニット１２に表示ユニット１４を取り付けた状態を示す正面図である。
【００２９】
表示ユニット１４の本体側コネクタ２３に対応する箇所には、空間が設けられている。そのため、本体ユニット１２に表示ユニット１４を取り付ける際は、本体側コネクタ２３と干渉することはない。
本体ユニット１２と表示ユニット１４とを組み合わせた状態にて、筐体２１の前面開口（本体ユニット１２の前面開口）が閉塞され、本体側コネクタ２３のみが露出する状態となる。
この状態で光源ユニット１３を取り付けることにより、本体ユニット１２と表示ユニット１４と光源ユニット１３との間に配線を挟み込むことがなく、容易に光源ユニット１３を取り付けることができる。
【００３０】
本体ユニット１２に表示ユニット１４を取り付けると、表示ユニット１４は、筐体２１の前面開口を完全に塞ぐが、引出開口は塞がない位置に固定される。このため、本体側コネクタ２３は、本体ユニット１２に表示ユニット１４を取り付けたあとでも、外側に露出している。これにより、本体ユニット１２に表示ユニット１４を取り付けたのちに、光源ユニット１３を取り付けることができる。
光源ユニット１３の取付け時には、筐体２１の前面開口が塞がれているので、コネクタ２５１，２６１など本体側コネクタ２３以外の部品や外部電源に接続された電源線などに不用意に触れるのを防ぐことができる。
【００３１】
光源ユニット１３の取付けは、例えば、次のような手順で行う。
まず、表示ユニット１４が取り付けられた本体ユニット１２の引出開口から外側に露出している本体側コネクタ２３と、光源ユニット１３の光源側コネクタとを接続する。
次に、光源ユニット１３の光源側係合部３１１ａ，３１１ｂと、本体ユニット１２の本体側光源係合部２１１ａ，２１１ｂとを係合させて、光源ユニット１３を本体ユニット１２に取り付ける。
光源ユニット１３は、引出開口を覆う位置に固定される。これにより、本体側コネクタ２３は、外から見えなくなる。
【００３２】
光源ユニット１３及び表示ユニット１４の付け外しは、表示装置１０の製造時だけでなく、例えば表示装置１０の設置時やバッテリ２６の交換時などにも発生する。
表示ユニット１４を本体ユニット１２に取り付けると、筐体２１の前面開口が塞がれる。これにより、筐体２１のなかに内蔵された点灯装置２５や電源線やハーネスなどが隠れる。このため、光源ユニット１３の取付け時に、これらの部品に不用意に触れることがなく、取付け作業の作業性が向上する。
また、表示ユニット１４が引出開口を塞がないので、引出開口から外部に露出した本体側コネクタ２３と、光源ユニット１３の光源側コネクタとを接続することができる。
また、本体側コネクタ２３が見えている状態で表示ユニット１４を取り付けるので、ケーブル２３１の挟み込みを防ぐことができ、取付け作業の作業性が高くなる。
【００３３】
また、引出開口カバー２８が本体側コネクタ２３を固定しているので、ケーブル２３１の位置を気にすることなく、表示ユニット１４の取付けをすることができ、取付け作業の作業性が高くなる。
【００３４】
なお、光源ユニット１３は、表示ユニット１４が本体ユニット１２に取り付けられたあとで取り付けられる構成であればよい。例えば、光源ユニット１３は、本体ユニット１２と係合して固定されるのではなく、表示ユニット１４と係合して固定される構成であってもよい。
【００３５】
実施の形態２．
実施の形態２について、図１２〜図１６を用いて説明する。
なお、実施の形態１と共通する部分については、同一の符号を付し、説明を省略する。
【００３６】
図１２は、この実施の形態における表示装置１０の外観を示す斜視図である。
図１３は、この実施の形態における表示装置１０を示す正視図である。
【００３７】
表示装置１０は、例えば両面型の誘導灯装置である。表示装置１０は、本体ユニット１２と、２つの光源ユニット１３ａ，１３ｂと、２つの表示ユニット１４ａ，１４ｂとを有する。
光源ユニット１３ａ，１３ｂは、光源を有する。光源は、例えばＬＥＤである。
本体ユニット１２は、ほぼ直方体形状である。本体ユニット１２は、光源ユニット１３ａ，１３ｂに対して電力を供給して、光源を点灯する。
表示ユニット１４ａ（第一の表示ユニット）は、光源ユニット１３ａの光源が発する光によって照らされ、所定の図柄を表示する。表示ユニット１４ａは、本体ユニット１２の正面側に配置されている。
表示ユニット１４ｂ（第二の表示ユニット）は、光源ユニット１３ｂの光源が発する光によって照らされ、所定の図柄を表示する。表示ユニット１４ｂは、表示ユニット１４ａとは反対側である本体ユニット１２の背面側に配置されている。所定の図柄は、例えば避難誘導を表わす図柄である。
光源ユニット１３ａ，１３ｂは、実施の形態１で説明した光源ユニット１３と同様である。表示ユニット１４ａ，１４ｂは、実施の形態１で説明した表示ユニット１４と同様である。
【００３８】
図１４は、この実施の形態における本体ユニット１２の構造を示す斜視図である。
【００３９】
本体ユニット１２は、筐体２１と、操作部２２と、２つの本体側コネクタ２３ａ，２３ｂ（本体側コネクタ２３ｂは、図１５参照）と、点灯装置２５と、バッテリ２６と、端子台２７と、２つの引出開口カバー２８ａ，２８ｂ（引出開口カバー２８ｂは、図１５参照）とを有する。
筐体２１は、ほぼ直方体の箱状であり、前面に前面開口と引出開口とを有する。筐体２１は、４つの本体側光源係合部２１１ａ〜２１１ｄ（本体側光源係合部２１１ｃ，２１１ｄは、図１５参照）と、８つの本体側表示係合部２１２ａ〜２１２ｈ（本体側表示係合部２１２ｅ〜２１２ｈは、図１５参照）とを有する。
【００４０】
本体側光源係合部２１１ａは、筐体２１の前面の向かって左上角に近い位置に設けられている。本体側光源係合部２１１ａは、光源ユニット１３ａの光源側係合部３１１ａと係合する。
本体側光源係合部２１１ｂは、筐体２１の前面の向かって右上角に近い位置に設けられている。本体側光源係合部２１１ｂは、光源ユニット１３ａの光源側係合部３１１ｂと係合する。
本体側光源係合部２１１ａ，２１１ｂは、光源ユニット１３ａの光源側係合部３１１ａ，３１１ｂと係合することにより、光源ユニット１３ａを本体ユニット１２に固定する。
【００４１】
本体側表示係合部２１２ａは、筐体２１の右側面の上寄り内側に設けられている。本体側表示係合部２１２ａは、表示ユニット１４ａの表示側係合部４１１ａと係合する。
本体側表示係合部２１２ｂは、筐体２１の右側面の下端内側に設けられている。本体側表示係合部２１２ｂは、表示ユニット１４ａの表示側係合部４１１ｂと係合する。
本体側表示係合部２１２ｃは、筐体２１の左側面の上寄り内側に設けられている。本体側表示係合部２１２ｃは、表示ユニット１４ａの表示側係合部４１１ｃと係合する。
本体側表示係合部２１２ｄは、筐体２１の左側面の下端内側に設けられている。本体側表示係合部２１２ｄは、表示ユニット１４ａの表示側係合部４１１ｄと係合する。
本体側表示係合部２１２ａ〜２１２ｄは、表示ユニット１４ａの表示側係合部４１１ａ〜４１１ｄと係合することにより、表示ユニット１４ａを本体ユニット１２に固定する。
【００４２】
本体側コネクタ２３ａは、光源ユニット１３ａの光源側コネクタと着脱自在に接続される。本体側コネクタ２３ａは、点灯装置２５が出力した電力を、光源ユニット１３ａに供給する。本体側コネクタ２３ａは、引出開口から筐体２１の外に引き出される。
【００４３】
引出開口カバー２８ａは、前面開口と引出開口とを分離し、本体側コネクタ２３ａを固定する。
【００４４】
図１５は、この実施の形態における本体ユニット１２の構造を示す斜視図である。
この図は、図１４とは異なる方向から見たものである。
【００４５】
筐体２１の背面側は、引出開口が開口している以外に、何箇所かが背面側からの作業を可能にするため開口しているだけで、前面側のようにほぼ全面にわたった前面開口は存在しない。
【００４６】
本体側光源係合部２１１ｃは、筐体２１の背面の向かって左上角に近い位置に設けられている。本体側光源係合部２１１ｃは、光源ユニット１３ｂの光源側係合部３１１ａと係合する。
本体側光源係合部２１１ｄは、筐体２１の背面の向かって右上角に近い位置に設けられている。本体側光源係合部２１１ｄは、光源ユニット１３ｂの光源側係合部３１１ｂと係合する。
本体側光源係合部２１１ｃ，２１１ｄは、光源ユニット１３ｂの光源側係合部３１１ａ，３１１ｂと係合することにより、光源ユニット１３ｂを本体ユニット１２に固定する。
【００４７】
本体側表示係合部２１２ｅは、筐体２１の（正面から見て）左側面の上寄り内側に設けられている。本体側表示係合部２１２ｅは、表示ユニット１４ｂの表示側係合部４１１ａと係合する。
本体側表示係合部２１２ｆは、筐体２１の（正面から見て）左側面の下端内側に設けられている。本体側表示係合部２１２ｆは、表示ユニット１４ｂの表示側係合部４１１ｂと係合する。
本体側表示係合部２１２ｇは、筐体２１の（正面から見て）右側面の上寄り内側に設けられている。本体側表示係合部２１２ｇは、表示ユニット１４ｂの表示側係合部４１１ｃと係合する。
本体側表示係合部２１２ｈは、筐体２１の（正面から見て）右側面の下端内側に設けられている。本体側表示係合部２１２ｈは、表示ユニット１４ｂの表示側係合部４１１ｄと係合する。
本体側表示係合部２１２ｅ〜２１２ｈは、表示ユニット１４ｂの表示側係合部４１１ａ〜４１１ｄと係合することにより、表示ユニット１４ｂを本体ユニット１２に固定する。
【００４８】
本体側コネクタ２３ｂは、光源ユニット１３ｂの光源側コネクタと着脱自在に接続される。本体側コネクタ２３ｂは、点灯装置２５が出力した電力を、光源ユニット１３ｂに供給する。本体側コネクタ２３ｂは、背面側の引出開口から、筐体２１の外に引き出される。
【００４９】
引出開口カバー２８ｂは、本体側コネクタ２３ｂを固定する。
【００５０】
図１６は、この実施の形態における本体ユニット１２に表示ユニット１４ａ，１４ｂを取り付けた状態を示す斜視図である。
【００５１】
本体ユニット１２に表示ユニット１４ａを取り付けた状態で、筐体２１の前面開口は、表示ユニット１４ａのみで閉塞されている。背面側についても同様に、作業用の穴を含め、表示ユニット１４ｂのみで、背面側の開口が閉塞される。
この状態で、本体側コネクタ２３ａ，２３ｂが本体ユニット１２の引出開口より露出しているので、本体ユニット１２と表示ユニット１４ａ，１４ｂと光源ユニット１３ａ，１３ｂとの間に配線を挟むことがなく、容易に取付けが可能となる。
【００５２】
本体ユニット１２に表示ユニット１４ａを取り付けると、表示ユニット１４ａは、筐体２１の前面開口を塞ぐが、前面側の引出開口は塞がない。このため、本体側コネクタ２３ａは、本体ユニット１２に表示ユニット１４ａを取り付けたあとでも、外側に露出している。これにより、本体ユニット１２に表示ユニット１４ａを取り付けたのちに、光源ユニット１３ａを取り付けることができる。
また、本体ユニット１２に表示ユニット１４ｂを取り付けても、背面側の引出開口は塞がない。このため、本体側コネクタ２３ｂは、本体ユニット１２に表示ユニット１４ｂを取り付けたあとでも、外側に露出している。これにより、本体ユニット１２に表示ユニット１４ｂを取り付けたのちに、光源ユニット１３ｂを取り付けることができる。
光源ユニット１３ａの取付け時には、筐体２１の前面開口が塞がれているので、コネクタ２５１，２６１など本体側コネクタ２３以外の部品や外部電源に接続された電源線などに不用意に触れるのを防ぐことができる。
【００５３】
表示ユニット１４ａを本体ユニット１２に取り付けると、筐体２１の前面開口は塞がれるが、前面側の引出開口は塞がれないので、引出開口から外部に露出した本体側コネクタ２３ａと、光源ユニット１３ａの光源側コネクタとを接続することができる。
また、本体側コネクタ２３ａが見えている状態で表示ユニット１４ａを取り付けるので、ケーブルの挟み込みを防ぐことができ、取付け作業の作業性が高くなる。
【００５４】
また、引出開口カバー２８ａが本体側コネクタ２３ａを固定しているので、ケーブルの位置を気にすることなく、表示ユニット１４ａの取付けをすることができ、取付け作業の作業性が高くなる。
【００５５】
表示ユニット１４ｂを本体ユニット１２に取り付けても、筐体２１の背面側の引出開口は塞がれないので、引出開口から外部に露出した本体側コネクタ２３ｂと、光源ユニット１３ｂの光源側コネクタとを接続することができる。
また、本体側コネクタ２３ｂが見えている状態で表示ユニット１４ｂを取り付けるので、ケーブの挟み込みを防ぐことができ、取付け作業の作業性が高くなる。
【００５６】
また、引出開口カバー２８ｂが本体側コネクタ２３ｂを固定しているので、ケーブルの位置を気にすることなく、表示ユニット１４ｂの取付けをすることができ、取付け作業の作業性が高くなる。
【００５７】
実施の形態３．
実施の形態３について、図１７〜図２１を用いて説明する。
なお、実施の形態１または実施の形態２と共通する部分については、同一の符号を付し、説明を省略する。
【００５８】
図１７は、この実施の形態における表示装置１０の外観を示す斜視図である。
【００５９】
表示装置１０は、例えば壁面埋込み型の誘導灯装置である。表示装置１０は、本体ユニット１２と、光源ユニット１３（不図示）と、表示ユニット１４と、埋込み用金具１５と、化粧枠１６と、操作部１７とを有する。
このうち、光源ユニット１３及び表示ユニット１４は、実施の形態１と同様である。
【００６０】
埋込み用金具１５は、本体ユニット１２の背面側に固定され、壁面などに設けられた埋込み穴のなかに挿入されて固定される。
【００６１】
図１８は、この実施の形態における表示装置１０の使用態様を示す図である。
【００６２】
この図において、壁８０の左側が室内である。埋込み用金具１５は、壁８０に設けられた埋込み穴のなかに設置されている。室内側には、化粧枠１６と操作部１７とが露出している。
【００６３】
図１９は、この実施の形態における本体ユニット１２及び埋込み用金具１５の構造を示す斜視図である。
【００６４】
本体ユニット１２は、実施の形態１で説明した本体ユニット１２と同様であるが、操作部２２を有さない点が異なる。
筐体２１の底面には、貫通穴２１５が設けられている。貫通穴２１５は、操作部２２のモニタ２２３ａ〜２２３ｃや点検用スイッチや受光部２２４を露出させるためのものであるが、この実施の形態では、操作部１７と点灯装置２５とを接続するケーブルを通すために用いられる。
【００６５】
埋込み用金具１５は、例えば、基部５１と、左翼部５２と、右翼部５３と、下翼部５４とを有する。埋込み用金具１５は、例えば板金を折り曲げて形成される。
基部５１は、例えば、ほぼ長方形板状である。基部５１は、中央上寄りに開口５１１を有する。
【００６６】
左翼部５２は、基部５１の左側に連接している。左翼部５２は、例えば、側部５２１と、鍔部５２２と、縁部５２３，５２４（縁部５２４は、不図示）と、係合部５２５（不図示）とを有する。
側部５２１は、ほぼ長方形板状であり、基部５１に対してほぼ垂直に連接している。
鍔部５２２は、平面板状であり、側部５２１に対してほぼ垂直に連接している。鍔部５２２は、基部５１とほぼ平行である。
縁部５２３，５２４は、平面板状であり、鍔部５２２に対してほぼ垂直に連接している。縁部５２３，５２４は、側部５２１とほぼ平行である。
係合部５２５は、例えば、鍔部５２２と縁部５２４とにまたがって設けられた開口である。係合部５２５は、例えば、左翼部５２の上下方向のほぼ中央に設けられている。係合部５２５は、化粧枠１６と係合して、化粧枠１６を固定する。
【００６７】
右翼部５３は、基部５１の右側に連接している。右翼部５３は、例えば、側部５３１と、鍔部５３２と、縁部５３３，５３４と、係合部５３５とを有する。
側部５３１は、ほぼ長方形板状であり、基部５１に対してほぼ垂直に連接している。側部５３１は、側部５２１とほぼ平行である。
鍔部５３２は、平面板状であり、側部５３１に対してほぼ垂直に連接している。鍔部５３２は、基部５１とほぼ平行であり、鍔部５２２とほぼ同一平面をなす。
縁部５３３，５３４は、平面板状であり、鍔部５３２に対してほぼ垂直に連接している。縁部５３３，５３４は、側部５２１，５３１及び縁部５２３，５２４とほぼ平行である。
係合部５３５は、例えば、鍔部５３２と縁部５３４とにまたがって設けられた開口である。係合部５３５は、例えば、右翼部５３の上下方向のほぼ中央に設けられている。係合部５３５は、化粧枠１６と係合して、化粧枠１６を固定する。
【００６８】
下翼部５４は、基部５１の下側に連接している。下翼部５４は、例えば、側部５４１と、鍔部５４２と、縁部５４３と、係合部５４５，５４６（係合部５４５は、不図示）とを有する。
側部５４１は、ほぼ長方形板状であり、基部５１に対してほぼ垂直に連接している。側部５４１は、側部５２１，５３１及び鍔部５２２，５３２及び縁部５２３，５２４，５３３，５３４に対してほぼ垂直である。
鍔部５４２は、ほぼ長方形板状であり、側部５４１に対してほぼ垂直に連接している。鍔部５４２は、基部５１及び鍔部５２２，５３２とほぼ平行である。鍔部５４２と基部５１との間の距離（すなわち、側部５４１の幅）は、鍔部５２２及び鍔部５３２と基部５１との間の距離（すなわち、側部５２１，５３１の幅）よりも小さい。
縁部５４３は、平面板状であり、鍔部５４２に対してほぼ垂直に連接している。縁部５４３は、側部５４１とほぼ平行である。
係合部５４５，５４６は、例えば、側部５４１と鍔部５４２とにまたがって設けられた開口である。係合部５４５は、例えば、下翼部５４の左端付近に設けられている。係合部５４６は、例えば、係合部５４５と対称に、下翼部５４の右端付近に設けられている。係合部５４５，５４６は、操作部１７と係合して、操作部１７を固定する。
【００６９】
図２０は、この実施の形態における操作部１７の構造を示す斜視図である。
【００７０】
操作部１７は、化粧面部７１と、３つの操作側係合部７２ａ〜７２ｃと、３つのモニタ７３ａ〜７３ｃと、受光部７４と、点検スイッチ７５と、自動点検スイッチ７６と、ケーブル（不図示）とを有する。
化粧面部７１は、室内に露出する意匠面である。
操作側係合部７２ａ〜７２ｃは、埋込み用金具１５と係合して、操作部１７を埋込み用金具１５に固定する。
点検スイッチ７５、自動点検スイッチ７６、モニタ７３ａ〜７３ｃ及び受光部７４は、化粧面部７１に設けられている。点検スイッチ７５、自動点検スイッチ７６、モニタ７３ａ〜７３ｃ及び受光部７４の機能は、実施の形態１で説明した点検スイッチ２２５、自動点検スイッチ２２６、モニタ２２３ａ〜２２３ｃ及び受光部２２４と同様である。
ケーブルは、貫通穴２１５を通って、点検スイッチ７５、自動点検スイッチ７６、モニタ７３ａ〜７３ｃ及び受光部７４と、点灯装置２５とを接続する。
【００７１】
図２１は、この実施の形態における化粧枠１６の構造を示す斜視図である。
【００７２】
化粧枠１６は、上辺部６１と、左辺部６２と、右辺部６３と、下辺部６４とを有し、上辺部６１、左辺部６２、右辺部６３及び下辺部６４に囲まれた中央が、ほぼ長方形状に開口している。
上辺部６１、左辺部６２、右辺部６３及び下辺部６４は、室内に露出する意匠面である。
上辺部６１は、埋込み用金具１５の上側及び光源ユニット１３を覆い隠す。左辺部６２は、埋込み用金具１５の左側を覆い隠す。右辺部６３は、埋込み用金具１５の右側を覆い隠す。下辺部６４は、埋込み用金具１５の下側を覆い隠す。
【００７３】
表示ユニット１４の表示パネル４２は、上辺部６１、左辺部６２、右辺部６３及び下辺部６４に囲まれた開口を通して、室内に露出する。それ以外の部分は、化粧枠１６によって隠される。
【００７４】
表示装置１０の取付けは、例えば、次のような手順で行う。
【００７５】
本体ユニット１２と操作部１７とを接続し、埋込み用金具１５に固定する。
次に、埋込み用金具１５を、壁面などに設けられた埋込み穴に挿入して固定する。
次に、表示ユニット１４を、本体ユニット１２に固定する。
次に、光源ユニット１３を、本体ユニット１２に固定する。
最後に、化粧枠１６を固定する。
【００７６】
表示ユニット１４を本体ユニット１２に取り付けると、筐体２１の前面開口は塞がれるが、引出開口は塞がれないので、引出開口から外部に露出した本体側コネクタ２３と、光源ユニット１３の光源側コネクタとを接続することができる。
光源ユニット１３の取付け時には、筐体２１の前面開口が塞がれているので、コネクタ２５１，２６１など本体側コネクタ２３以外の部品や外部電源に接続された電源線などに不用意に触れるのを防ぐことができる。
また、本体側コネクタ２３が見えている状態で表示ユニット１４を取り付けるので、ケーブルの挟み込みを防ぐことができ、取付け作業の作業性が高くなる。
【００７７】
また、引出開口カバー２８が本体側コネクタ２３を固定しているので、ケーブルの位置を気にすることなく、表示ユニット１４の取付けをすることができ、取付け作業の作業性が高くなる。
【００７８】
このような構成により、表示装置１０を、意匠性を損なうことなく、容易に壁面に埋込設置することが可能となる。
【００７９】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【００８０】
以上説明した表示装置１０によれば、光源ユニット１３の着脱時に、不用意に、本体ユニット１２内の部品に触れることがない。また、光源ユニット１３への電力供給の為に設けられた配線の挟み込みがなく、光源ユニット１３の着脱を、容易かつ確実にすることができる。
【符号の説明】
【００８１】
１０  表示装置、１２  本体ユニット、１３  光源ユニット、１４  表示ユニット、１５  埋込み用金具、１６  化粧枠、１７，２２  操作部、２０１  貫通穴、２１  筐体、２１１  本体側光源係合部、２１２  本体側表示係合部、２１３，２１４  仕切部、２１５  貫通穴、２１６  電源穴、２１７  取付穴、２２３，７３  モニタ、２２４，７４  受光部、２２５，７５  点検スイッチ、２２６，７６  自動点検スイッチ、２３  本体側コネクタ、２３１  ケーブル、２５  点灯装置、２５１，２６１  コネクタ、２６  バッテリ、２７  端子台、２８  引出開口カバー、２８１  カバー側係合部、２８２  前面部、２８３，２８５  切り欠き、２８４  底面部、２９  補強金具、３１  カバー、３１１  光源側係合部、４１  枠、４１１  表示側係合部、４２  表示パネル、４３  導光体、４３１  入射面、５１  基部、５１１  開口、５２  左翼部、５２１，５３１，５４１  側部、５２２，５３２，５４２  鍔部、５２３，５２４，５３３，５３４，５４３  縁部、５２５，５３５，５４５，５４６  係合部、５３  右翼部、５４  下翼部、６１  上辺部、６２  左辺部、６３  右辺部、６４  下辺部、７１  化粧面部、７２  操作側係合部、８０  壁、９１  背面部、９１１〜９１３，９４１，９４２  穴、９２  左側面部、９３  右側面部、９４  上面部、９５  下面部。
【図１】
2014107135.tif 000003
【図２】
2014107135.tif 000004
【図３】
2014107135.tif 000005
【図４】
2014107135.tif 000006
【図５】
2014107135.tif 000007
【図６】
2014107135.tif 000008
【図７】
2014107135.tif 000009
【図８】
2014107135.tif 000010
【図９】
2014107135.tif 000011
【図１０】
2014107135.tif 000012
【図１１】
2014107135.tif 000013
【図１２】
2014107135.tif 000014
【図１３】
2014107135.tif 000015
【図１４】
2014107135.tif 000016
【図１５】
2014107135.tif 000017
【図１６】
2014107135.tif 000018
【図１７】
2014107135.tif 000019
【図１８】
2014107135.tif 000020
【図１９】
2014107135.tif 000021
【図２０】
2014107135.tif 000022
【図２１】
2014107135.tif 000023